(57)【要約】      （修正有）【課題】キャリッジを確実に接地できるとともに、画像読取装置を構成簡単、且つ、低コストに実現する。【解決手段】画像を読み取る読取センサー３と、読取センサー３を保持するとともに、所定の方向に往復移動可能なキャリッジ４と、読取センサー３をキャリッジ４に対して付勢する付勢部材と、を備える。付勢部材は、導電性を有する材料で形成されているとともに、読取センサー３を接地する接地部３２を一体に備えている。【選択図】図１０
2016019071.tif 000002
【特許請求の範囲】
【請求項１】
画像を読み取る読取センサーと、
前記読取センサーを保持するとともに、所定の方向に往復移動可能なキャリッジと、
前記読取センサーを前記キャリッジに対して付勢する付勢部材と、
を備え、
前記付勢部材は、導電性を有する材料で形成されているとともに、前記キャリッジと前記読取センサーのグランドとを接続して該キャリッジを接地する接地部を、一体に備えている、
ことを特徴とする、画像読取装置。
【請求項２】
請求項１に記載された画像読取装置において、
前記付勢部材は、板金加工により形成されている、
ことを特徴とする、画像読取装置。
【請求項３】
請求項１または請求項２に記載された画像読取装置において、
前記キャリッジは、該キャリッジの移動方向に交差する方向に延設されるとともに、前記読取センサーを間に保持する一対の側壁を有し、
前記付勢部材は、
前記キャリッジの一方の側壁と前記読取センサーとの間に配置され、該読取センサーを前記キャリッジの他方の側壁に向けて付勢する、
ことを特徴とする、画像読取装置。
【請求項４】
請求項３に記載された画像読取装置において、
前記付勢部材は、
前記キャリッジの底面側に位置する基部と、
前記基部から延設されるとともに、前記キャリッジの一方の側壁に接触する側部と、
前記基部から延設されるとともに、前記キャリッジの他方の側壁に向けて前記読取センサーを付勢するばね部と、
前記読取センサーに接触する接地部と、を備えるとともに、
前記基部と前記側部とが成す角度が、取り付け前の状態よりも小さくなって前記キャリッジに取り付けられている、
ことを特徴とする、画像読取装置。
【請求項５】
請求項３に記載された画像読取装置において、
前記付勢部材は、
前記キャリッジの底面側に位置する基部と、
前記基部から延設されるとともに、前記キャリッジの一方の側壁に接触する側部と、
前記基部から延設されるとともに、前記キャリッジの他方の側壁に向けて前記読取センサーを付勢するばね部と、
前記読取センサーに接触する接地部と、を備えるとともに、
前記ばね部と前記接地部は、前記基部に対し、前記キャリッジの側壁に沿う方向にずれて設けられている、
ことを特徴とする、画像読取装置。
【請求項６】
請求項１から請求項５のいずれか一項に記載された画像読取装置において、
前記キャリッジを支持して前記所定の移動方向に案内するガイド部を備え、
前記キャリッジは、
前記ガイド部に対して移動可能に係合する係合部材と、
前記係合部材の当該キャリッジに対する位置決め部と、を備え、
前記位置決め部は、前記付勢部材の前記キャリッジへの取り付け部を兼ねている、
ことを特徴とする、画像読取装置。
【発明の詳細な説明】
【技術分野】
【０００１】
本発明は、画像読取装置に関するものである。
【背景技術】
【０００２】
ガラスの原稿台に原稿を載置し、画像読取センサーを備えた画像読取ユニットが原稿台の下方を移動して前記原稿の画像を読み取る画像読取装置が知られている。  
このような画像読取装置としては、例えば特許文献１に記載の画像読取装置が挙げられる。
【０００３】
特許文献１において、画像読取ユニットとしてのコンタクトイメージセンサーユニット１３（以下、ＣＩＳユニット１３と称する）は、レール１５に案内されて移動しつつ画像を読み取るように構成されている。ＣＩＳユニット１３は、画像データを伝送可能なフレキシブルフラットケーブル（以下、ＦＦＣと称する場合がある）１６によって処理部１７と接続されており、処理部１７において画像データが記録処理される。  
ＣＩＳユニット１３は、レール１５に支持されて移動するキャリッジ５０に画像読取センサーとしてのコンタクトイメージセンサー４０が搭載されて構成されている。
【０００４】
このような画像読取装置はより薄型であることが求められており、画像読取ユニットも薄く構成することが望ましく、前記キャリッジも薄く形成されている。しかし、キャリッジの厚みが薄いとその剛性が低くなるため、キャリッジは金属材料で形成されている。
【先行技術文献】
【特許文献】
【０００５】
【特許文献１】特開２０１４−１７５７３号公報
【発明の概要】
【発明が解決しようとする課題】
【０００６】
ここで、前記キャリッジを金属材料で形成すると、原稿を読み取るためにキャリッジが移動する際に、画像読取センサーに接続されるＦＦＣが前記キャリッジの移動に追従して動き、静電気を生じさせる場合がある。そして、静電気が所定以上溜まると電荷が放電されるとともにノイズを生じ、画像読取センサーによる読取データに影響を及ぼす虞がある。このため、キャリッジは接地部材により接地されている。  
特許文献１では、キャリッジと画像読取センサーの一部を接続する導電部材が設けられており、画像読取センサーに接続されるＦＦＣを介して接地が行われるように構成されている。
【０００７】
一方、キャリッジに保持される画像読取センサーは、付勢部材により前記キャリッジに対して付勢されて保持されている。  
特許文献１において、前記キャリッジの接地を担う導電部材と前記付勢部材は別体であり、部品点数と組立工数が多くなっていた。
【０００８】
本発明は上記の様な状況に鑑みてなされたものであり、その目的は、キャリッジを確実に接地できるとともに、画像読取装置を構成簡単で省スペース、且つ低コストに実現することにある。
【課題を解決するための手段】
【０００９】
上記課題を解決するため、本発明の第１の態様に係る画像読取装置は、画像を読み取る読取センサーと、前記読取センサーを保持するとともに、所定の方向に往復移動可能なキャリッジと、前記読取センサーを前記キャリッジに対して付勢する付勢部材と、を備え、前記付勢部材は、導電性を有する材料で形成されているとともに、前記キャリッジと前記読取センサーのグランドとを接続して該キャリッジを接地する接地部を、一体に備えている、ことを特徴とするものである。
【００１０】
本態様によれば、前記付勢部材が前記接地部を一体に備えているので、部品点数の削減が可能である。加えて、前記付勢部材が前記読取センサーに接触して付勢すると同時に、その付勢位置で前記読取センサーのグランドとも接触し、前記キャリッジの接地をとる構成とすることも可能であり、読取センサーをキャリッジへ付勢する構成とキャリッジを接地する構成とを省スペースで配設することができる。
【００１１】
本発明の第２の態様に係る画像読取装置は、第１の態様において、前記付勢部材は、板金加工により形成されている、ことを特徴とするものである。
【００１２】
本態様によれば、前記付勢部材を板金加工により形成することにより、該付勢部材を安価に製造でき、製造コストを抑制することができる。また、材料となる金属板の厚みは薄くて足り、部品の軽量化が可能である。
【００１３】
本発明の第３の態様に係る画像読取装置は、第１の態様または第２の態様において、前記キャリッジは、該キャリッジの移動方向に交差する方向に延設されるとともに、前記読取センサーを間に保持する一対の側壁を有し、前記付勢部材は、前記キャリッジの一方の側壁と前記読取センサーとの間に配置され、該読取センサーを前記キャリッジの他方の側壁に向けて付勢する、ことを特徴とするものである。
【００１４】
本態様によれば、前記キャリッジの一方の側壁と前記読取センサーとの間に配置した付勢部材によって、確実に読取センサーを前記キャリッジの他方の側壁に対して付勢することができる。
【００１５】
本発明の第４の態様に係る画像読取装置は、第３の態様において、前記付勢部材は、前記キャリッジの底面側に位置する基部と、前記基部から延設されるとともに、前記キャリッジの一方の側壁に接触する側部と、前記基部から延設されるとともに、前記キャリッジの他方の側壁に向けて前記読取センサーを付勢するばね部と、前記読取センサーに接触する接地部と、を備えるとともに、前記基部と前記側部とが成す角度が、取り付け前の状態よりも小さくなって前記キャリッジに取り付けられている、ことを特徴とするものである。
【００１６】
本態様によれば、前記付勢部材を前記キャリッジに取り付けたときに、前記キャリッジの一方の側壁に向けて、前記付勢部材の前記側部が付勢された状態となる。したがって、前記側部を前記キャリッジの一方の側壁に対して確実に接触させることができる。以って、キャリッジの接地を確実にとることができる。
【００１７】
本発明の第５の態様に係る画像読取装置は、第３の態様において、前記付勢部材は、前記キャリッジの底面側に位置する基部と、前記基部から延設されるとともに、前記キャリッジの一方の側壁に接触する側部と、前記基部から延設されるとともに、前記キャリッジの他方の側壁に向けて前記読取センサーを付勢するばね部と、前記読取センサーに接触する接地部と、を備えるとともに、前記ばね部と前記接地部は、前記基部に対し、前記キャリッジの側壁に沿う方向にずれて設けられている、ことを特徴とするものである。
【００１８】
本態様によれば、前記ばね部と前記接地部が前記基部に対し、前記キャリッジの側壁に沿う方向にずれて設けられているので、前記接地部が、前記ばね部が前記キャリッジを付勢する付勢力による影響を受ける虞を低減できる。以って、前記接地部を前記読取センサーのグランドに安定して接触させることができる。
【００１９】
本発明の第６の態様に係る画像読取装置は、第１の態様から第５の態様のいずれか一つにおいて、前記キャリッジを支持して前記所定の移動方向に案内するガイド部を備え、前記キャリッジは、前記ガイド部に対して移動可能に係合する係合部材と、前記係合部材の当該キャリッジに対する位置決め部と、を備え、前記位置決め部は、前記付勢部材の前記キャリッジへの取り付け部を兼ねている、ことを特徴とするものである。
【００２０】
本態様によれば、部品点数を削減して低コストで画像読取装置を実現することができる。また、ガイド部がキャリッジの長手方向の中心近くにある場合には、前記付勢部材もキャリッジの長手方向の中心に設けることが可能となり、読取センサーを効果的にキャリッジに対して付勢して保持させることができる。
【図面の簡単な説明】
【００２１】
【図１】本発明の一実施例に係るスキャナーの外観を表す斜視図。
【図２】本発明の一実施例に係るスキャナーの内部を表す斜視図。
【図３】実施例の画像読取ユニットとガイド部を表す斜視図。
【図４】実施例の画像読取ユニットの下面を表す斜視図。
【図５】実施例の画像読取ユニットを表す斜視図。
【図６】実施例のキャリッジを表す斜視図。
【図７】実施例のキャリッジの要部拡大図。
【図８】実施例の読取センサーの下面を表す斜視図。
【図９】（Ａ）は付勢部材の斜視図、（Ｂ）は（Ａ）と異なる方向からの斜視図。
【図１０】図５の画像読取ユニットにおける、Ｉ−Ｉ矢視断面図。
【図１１】読取センサーをキャリッジに付勢した状態における画像読取ユニットの要部拡大図。
【図１２】上面カバーの保持構造を示す概要図であり、（Ａ）は上面カバーが所定以上の角度で開いた状態、（Ｂ）は（Ａ）の開状態と閉状態の間の状態、（Ｃ）は上面カバーが閉まった状態。
【図１３】上面カバーの保持構造の他の例を示す概要図。
【発明を実施するための形態】
【００２２】
以下において、本発明に係る画像読取装置の一例としてのスキャナーについて、添付図面を参照して説明する。尚、本発明はこれらによって制約されるものではない。
【００２３】
［実施例１］
図１は、本発明の一実施例に係るスキャナーの外観を表す斜視図である。図２は、本発明の一実施例に係るスキャナーの内部を表す斜視図である。図３は、実施例の画像読取ユニットとガイド部を表す斜視図である。図４は、実施例の画像読取ユニットの下面を表す斜視図である。図５は、実施例の画像読取ユニットを表す斜視図である。図６は、実施例のキャリッジを表す斜視図である。図７は、実施例のキャリッジの要部拡大図である。図８は、実施例の読取センサーの下面を表す斜視図である。図９は、（Ａ）は付勢部材の斜視図、（Ｂ）は（Ａ）と異なる方向からの斜視図である。図１０は、図５の画像読取ユニットにおける、Ｉ−Ｉ矢視断面図である。図１１は、読取センサーをキャリッジに付勢した状態における画像読取ユニットの要部拡大図である。
【００２４】
また、各図において示すＸ−Ｙ−Ｚ座標系は、Ｘ方向及びＹ方向が水平方向であり、このうちＸ方向が画像読取ユニットの走査方向であり、装置の奥行方向である。また、Ｙ方向が画像読取ユニットの延設方向であり、装置幅方向である。Ｚ方向は重力方向であり、装置高さ方向である。尚、各図において＋Ｚ方向を装置上面側とし、−Ｚ方向側を装置下面側とする。
【００２５】
まず、本発明の一実施例に係るスキャナー１の概略について、図に基き説明する。  
図１に示すスキャナー１は、原稿台ガラス１２を備え、この原稿台ガラス１２の上面が、原稿を載置する原稿載置面１２ａを形成する。原稿台ガラス１２は本実施形態では透明なガラス板である。原稿台ガラス１２の周囲は複数のフレームにより構成されており、これらフレームにより画設された矩形領域が、画像読取ユニット２（図２を参照）によって読み取りが可能な原稿読み取り領域（原稿載置面１２ａ）となる。
【００２６】
尚、スキャナー１は開閉可能な上部カバー７を備えており、この上部カバー７が、原稿載置面１２ａを開閉する様に構成されている。またこの上部カバー７には弾性材（例えばスポンジ）により形成された原稿押さえマット（不図示）が設けられており、上部カバー７を閉じた際に、原稿載置面１２ａに載置された原稿が前記原稿押さえマットにより押圧され、その被読み取り面が原稿載置面１２ａに密着するようになっている。
【００２７】
原稿載置面１２ａを画設するフレームは、具体的には左右のアッパーフレーム８ａ、アッパーフレーム８ｂ、リアフレーム９、上フロントフレーム１０、のこれらにより構成されている。これらフレームは、筐体５に対して取り付けられる。尚、上フロントフレーム１０の下側には、下フロントフレーム１１が筐体５に対して取り付けられる。符号１３は、スキャナー１を操作する操作ボタンである。以上の各フレームおよび筐体５は、本実施形態では全て樹脂材料により形成される。
【００２８】
筐体５は箱形の形状を成しており、図２に示すように、この筐体５に画像読取ユニット２が設けられている。即ち、本実施形態においてスキャナー１はフラットベッド型のスキャナーであり、原稿台ガラス１２の下側に、画像読取ユニット２が原稿台ガラス１２に対して相対的に移動可能に設けられている。画像読取ユニット２は、本実施形態ではＸ軸方向に沿って移動する様に設けられている。
【００２９】
画像読取ユニット２は、読取センサー３と読取センサー３を保持するキャリッジ４とによって構成されている（図５を参照）。  
キャリッジ４は、図６に示すように、キャリッジ４の移動方向（Ｘ軸方向）に交差する方向に延設されるとともに、一対の側壁４ａ、側壁４ｂを有しており、側壁４ａと側壁４ｂの間に読取センサー３を保持している。尚、本実施形態において側壁４ａと側壁４ｂはほぼ平行に設けられているが、これに限られるものではない。上部（＋Ｚ方向）に向かって側壁４ａと側壁４ｂが近づくように設けられていてもよく、また離れるように設けられていてもよい。
【００３０】
読取センサー３は、キャリッジ４に取り付けられる付勢部材３０（図５、図６を参照）によって、一方の側壁４ｂに付勢された状態で保持されている。付勢部材３０は、キャリッジ４の側壁４ａと読取センサー３との間に配置され、読取センサー３を側壁４ｂに向けて付勢している。尚、付勢部材３０については後に詳述する。
【００３１】
読取センサー３は、光源３ａと受光部３ｂ（図５を参照）を備え、原稿載置面１２ａに載置された原稿に光源３ａから光を照射し、該原稿からの反射光を受光部３ｂで受光して原稿の情報を読み取る光学センサーであり、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学センサーを用いることができる。
【００３２】
キャリッジ４は、ガイド部６に対して移動可能に係合するとともに、キャリッジ４を移動させる駆動源としてのモーター１４を備え、ガイド部６に案内されてモーター１４（図４を参照）の駆動力によってＸ軸方向に移動するように構成されている。  
より具体的には、キャリッジ４は、以下に詳述するラックピニオン機構により、ガイド部６に案内されてＸ軸方向にスライド移動する。
【００３３】
ガイド部６には、図３に示すようにラック１７がＸ軸方向に延設されている。ラック１７は、キャリッジ４においてモーター１４の駆動によって回転するピニオン１６（図４を参照）に噛合する。  
また、ガイド部６は、キャリッジ４側に設けられる係合部材２０と係合する凸部１８を備えている。
【００３４】
一方、キャリッジ４は、図４に示すように、その下面側（−Ｚ方向側）にモーター１４を備えており、ウォームギア１５によってモーター１４の駆動力が伝達されて、ピニオン１６が回転するように構成されている。  
また、キャリッジ４には、前述したガイド部６側の凸部１８に対してスライド可能に係合する凹部１９を備えた係合部材２０が設けられている。
【００３５】
キャリッジ４に設けられたピニオン１６が、ガイド部６のラック１７に噛合した状態でモーター１４を駆動することにより、ピニオン１６がラック１７に接しつつ回転し、キャリッジ４はガイド部６（凸部１８）に案内されてＸ軸方向に移動する。
【００３６】
キャリッジ４の下面側に設けられるモーター１４には、モーター１４に電力を供給するフレキシブルフラットケーブル２１（以下、ＦＦＣ２１と称する）の一端が接続されている。ＦＦＣ２１の他端は不図示の電力供給源に接続されている。モーター１４に接続されたＦＦＣ２１は、キャリッジ４の下面側から引き出され、キャリッジ４の所定の位置、例えば本実施形態においてはキャリッジ４の側壁４ｂの外側（＋Ｘ方向側）の位置２６において、保持部材２８によって固定されてから筐体５内に引き回されており、キャリッジ４の移動、すなわち、画像読取ユニット２の移動に追従して変形可能に構成されている。
【００３７】
また、キャリッジ４に保持される読取センサー３は、その下面側（−Ｚ方向側）に受光部３ｂで読み取った原稿の情報を電気信号に変換する基板２３を備え（図８を参照）、基板２３には、フレキシブルフラットケーブル２２（以下、ＦＦＣ２２と称する）が接続される接続部２４を備えている。ＦＦＣ２２は、基板２３において電気信号に変換された画像の読取データを制御部２５（図２を参照）に伝送するケーブルである。ＦＦＣ２２は、読取センサー３の下面側から引き出されてキャリッジ４の側壁４ｂの外側（＋Ｘ方向側）の位置２７において、保持部材２９によって固定されている。ＦＦＣ２２もＦＦＣ２１と同様に、キャリッジ４の移動、すなわち、画像読取ユニット２の移動に追従して変形可能に構成されている。
【００３８】
次に、本実施形態に係る付勢部材３０について、図９（Ａ）、図９（Ｂ）および図１０を参照して更に詳しく説明する。  
付勢部材３０は、鋼板等の導電性を有する材料で形成されているとともに、図９（Ａ）、図９（Ｂ）に示すように、キャリッジ４の底面側（−Ｚ方向側）に位置する基部３４と、基部３４から延設されるとともに、キャリッジ４の一方の側壁４ａに接触する側部３３と、基部３４から延設されるとともに、キャリッジ４の他方の側壁４ｂに向けて読取センサー３を付勢する板ばね状のばね部３１と、読取センサー３に接触する接地部３２と、を備えている。  
また、ばね部３１と接地部３２は、基部３４に対し、キャリッジ４の側壁４ａ、側壁４ｂに沿う方向（Ｙ軸方向）にずれて設けられている。
【００３９】
付勢部材３０は、前述したように、キャリッジ４の側壁４ａと読取センサー３との間に配置されており（図１０を参照）、ばね部３１が読取センサー３を側壁４ｂに向けて付勢している。これにより、読取センサー３がキャリッジ４に対して安定して保持されている。
【００４０】
付勢部材３０は、側部３３においてキャリッジ４の側壁４ａに接触している。  
一方、接地部３２は、読取センサー３の基板２３に設けられた接触部３６（図８を参照）に対して接する。接触部３６は、読取センサー３の接地線（不図示）に接続されている。  
付勢部材３０の接地部３２が読取センサー３の接地線に接続される接触部３６に接することにより、キャリッジ４と読取センサー３のグランドとが接続される。尚、前記接地線は、例えば、読取センサー３からの読取データ伝送用のＦＦＣ２２に含ませることができる。  
接地部３２は、図９（Ａ）、図９（Ｂ）に示されるように上方側（＋Ｚ側）に向けて折り曲げられており、接触部３６に向けて付勢されていることが望ましい。
【００４１】
加えて、付勢部材３０をキャリッジ４に取り付ける前の状態において、付勢部材３０の基部３４と側部３３とが成す角度はやや鈍角であり、付勢部材３０をキャリッジ４に取り付けたときに、その角度が取り付け前の状態よりも小さくなるように構成されている。
【００４２】
付勢部材３０は板金加工により形成することができる。これにより、付勢部材３０を安価に製造でき、製造コストを抑制することができる。また、材料となる金属板の厚みは薄くて足り、部品の軽量化が可能である。
【００４３】
尚、読取センサー３には、図８に示すように突部３８、突部３９が設けられている。また、キャリッジ４側には、位置決め孔４０と位置決め凹部４１が設けられている。位置決め孔４０に突部３８が、位置決め凹部４１に突部３９が嵌め込まれて、キャリッジ４に読取センサー３を取り付けられている。  
付勢部材３０によって読取センサー３が側壁４ｂに対して付勢された状態において、位置決め孔４０内において突部３８が＋Ｘ方向側に押し付けられている。また図示は省略するが、位置決め凹部４１に嵌め込まれる突部３９も、付勢部材３０によって読取センサー３が側壁４ｂに対して付勢された状態において、凹部４１の＋Ｘ方向側に押し付けられている。これにより、キャリッジ４に対する読取センサー３の位置が規定されている。
【００４４】
また、付勢部材３０のキャリッジ４への取り付けは、キャリッジ４に設けられる係合部材２０の位置決め部３７に付勢部材３０の取り付け部４２の孔３５が嵌合されて固定されている。
【００４５】
上記実施形態によれば、以下の作用効果が得られる。  
付勢部材３０が接地部３２を一体に備えているので、部品点数を削減できる。  
また、付勢部材３０において、読取センサー３に接触して付勢するばね部３１と、接地部３２とは別の位置に設けられているので、読取センサー３のキャリッジ４に対する付勢と、キャリッジ４の接地を構成簡単にして確実に行うとともに、部品点数の削減による低コスト化を実現することができる。
【００４６】
また、付勢部材３０をキャリッジ４に取り付けたときに、付勢部材３０をキャリッジ４に取り付ける前の状態よりも、基部３４と側部３３とが成す角度が小さくなるように構成されていることにより、付勢部材３０をキャリッジ４に取り付けたときに、キャリッジ４の一方の側壁４ａに向けて、付勢部材３０の側部３３が付勢された状態となる。したがって、側部３３をキャリッジ４の側壁４ａに対して確実に接触させることができる。以って、キャリッジ４の接地を確実にとることができる。
【００４７】
また、ばね部３１と前記接地部が前記基部に対し、キャリッジ４の側壁４ａ、側壁４ｂに沿うＹ軸方向にずれて設けられているので、接地部３２が、ばね部３１がキャリッジ４を付勢する付勢力による影響を受ける虞を低減できる。以って、接地部３２を読取センサー３の接触部３６に安定して接触させることができ、確実に接地をとることができる。
【００４８】
また、付勢部材３０をキャリッジ４に取り付けるに当たり、係合部材２０のキャリッジ４に対する位置決め部３７と、付勢部材３０のキャリッジ４への取り付け部を兼用しているので、部品点数を削減して低コストで画像読取装置１を実現することができる。  
加えて、本実施形態においては、ガイド部６がキャリッジ４の長手方向（Ｙ軸方向）のほぼ中心近くに位置するので、付勢部材３０がキャリッジ４の長手方向の中心に設けることができる。以って、読取センサー３をバランスよくキャリッジ４に対して付勢して安定保持させることができる。
【００４９】
尚、本実施形態においては、付勢部材３０において、読取センサーに接触して付勢する位置と、接地部が読取センサー３に対して接触する位置（接触部３６）とが異なる場合について説明したが、例えば、付勢部材３０が読取センサー３に接触して付勢する部分において、キャリッジ４の接地をとる構成とすることも可能である。このことによって、読取センサー３をキャリッジ４へ付勢する構成とキャリッジ４を接地する構成とを省スペースで配設することができる。  
またこのとき、キャリッジ４の側壁４ａと対向する読取センサー３の側面に基板を配置することができる。したがって、読取センサー３における基板の配置の自由度を高くすることができる。
【００５０】
＜本発明に係る画像読取装置の他の構成＞
上部カバー７（図１を参照）は、ヒンジ部５０を回動支点として開状態と閉状態をとり、開状態と閉状態の間の位置で保持する保持機構を備えている。図１２（Ａ）〜図１２（Ｃ）は、上面カバーの保持構造を示す概要図であり、（Ａ）は上面カバーが所定以上の角度で開いた状態、（Ｂ）は（Ａ）の開状態と閉状態の間の状態、（Ｃ）は上面カバーが閉まった状態である。
【００５１】
ヒンジ部５０は、リアフレーム９側に設けられる被当接部５２と接する当接部５１を備えている。一方、被当接部５２は、ばね５３等の弾性部材によって図中の＋Ｚ方向に付勢されている。  
当接部５１と被当接部５２は、上部カバー７の所定以上の角度で開いた状態［図１２（Ａ）］や閉状態［図１２（Ｃ）］においては当接しないが、開状態と閉状態の間の所定の角度になると接する［図１２（Ｂ）］ように構成されている。
【００５２】
当接部５１と被当接部５２が当接している間は、ばね５３によって上部カバー７（ヒンジ部５０）に対して＋Ｚ方向への付勢加重が与えられる。このことによって、上部カバー７の重力による回転を妨げ、上部カバー７を開状態と閉状態の間の位置で保持することが可能となる。  
この上面カバー７の保持機構によって、例えば、小サイズの原稿を原稿載置面１２ａに載せる際など、上部カバー７を大きく開く必要がない場合に、上部カバー７を少し開いた状態で保持することができる。
【００５３】
尚、当接部５１はヒンジ部５０に対して設けられるものに限られず、例えば、図１３のように、回動支点となるヒンジ部５０の近傍（図１３においてやや＋Ｘ方向側）に当接部５１を設ける構成とすることも可能である。
【００５４】
本発明は上記実施例に限定されることなく、特許請求の範囲に記載した発明の範囲内で種々の変形が可能であり、それらも本発明の範囲内に含まれるものであることは言うまでもない。
【符号の説明】
【００５５】
１  スキャナー、２  画像読取ユニット、３  読取センサー、
３ａ  光源、３ｂ  受光部、４  キャリッジ、５  筐体、６  ガイド部、
７  上部カバー、８ａ、８ｂ  アッパーフレーム、９  リアフレーム、
１０  上フロントフレーム、１１  下フロントフレーム、
１２  原稿台ガラス、１２ａ  原稿載置面、１３  操作ボタン、１４  モーター、
１５  ウォームギア、１６  ピニオン、１７  ラック、  １８  凸部、１９  凹部、
２０  係合部材、２１  フレキシブルフラットケーブル、
２２  フレキシブルフラットケーブル、２３  基板、２４  接続部、
２５  制御部、２６  位置、２７  位置、２８  保持部材、２９  保持部材、
３０  付勢部材、３１  ばね部、３２  接地部、  ３３  側部、  ３４  基部、
３５  孔、３６  接触部、３７  位置決め部、３８  突部、３９  突部、
４０  位置決め孔、４１  位置決め凹部、４２  取り付け部、
５０  ヒンジ部、５１  当接部、５２  被当接部、５３  ばね
【図１】
2016019071.tif 000003
【図２】
2016019071.tif 000004
【図３】
2016019071.tif 000005
【図４】
2016019071.tif 000006
【図５】
2016019071.tif 000007
【図６】
2016019071.tif 000008
【図７】
2016019071.tif 000009
【図８】
2016019071.tif 000010
【図９】
2016019071.tif 000011
【図１０】
2016019071.tif 000012
【図１１】
2016019071.tif 000013
【図１２】
2016019071.tif 000014
【図１３】
2016019071.tif 000015